(57)【特許請求の範囲】
【請求項１】
インクを噴射して記録媒体上に画像を記録するインクジェット記録装置において、
各々記録媒体を供給する複数の記録媒体供給手段と、
前記各々の記録媒体供給手段より供給される記録媒体を各々搬送するための複数の搬送路と、
前記搬送路上に設けられ、前記記録媒体を搬送する搬送手段と、
前記記録媒体の搬送方向と略直交する方向に沿って前記各々の記録媒体に亘って走査を行い、インクを噴射することにより記録を行う記録手段と、
各々の記録媒体を選択的に搬送状態若しくは非搬送状態とする手段と、
を有し、
前記搬送手段は、搬送ローラと記録媒体を該搬送ローラに各々圧着させる圧着ローラからなると共に、前記記録媒体を選択的に搬送状態若しくは非搬送状態とする手段は、該圧着ローラを選択的に圧着状態若しくは圧着解除状態とする手段からなり、
前記圧着ローラによる圧着解除時に、圧着解除された記録媒体を搬送手段に対して浮かせる浮かせ機構を有することを特徴とするインクジェット記録装置。
【請求項２】
前記浮かせ機構は、記録媒体裏面に対してその表面側が接離可能な板状部材からなることを特徴とする請求項１記載のインクジェット記録装置。
【請求項３】
前記浮かせ機構は、記録媒体裏面に対してその長手方向が接離可能な棒状部材からなることを特徴とする請求項１記載のインクジェット記録装置。
【請求項４】
前記浮かせ機構は、記録媒体裏面に対してその先端部が接離可能なピン状部材からなることを特徴とする請求項１記載のインクジェット記録装置。
【請求項５】
前記複数の記録媒体のうちで記録を行う記録媒体の数に応じた複数のモードを有することを特徴とする請求項１〜４のいずれかに記載のインクジェット記録装置。
【請求項６】
画像を記録する枚数に応じて前記モードを変更することを特徴とする請求項５記載のインクジェット記録装置。
【請求項７】
前記モードに応じて前記記録手段の走査幅を変更することを特徴とする請求項５又は６記載のインクジェット記録装置。
【請求項８】
前記搬送手段と各々の記録媒体との摩擦係数の値（μ）若しくは搬送力の値（ｆ）におけるいずれか２つの値の比率（｜μ１−μ２｜／｜μ１＋μ２｜若しくは｜ｆ１−ｆ２｜／｜ｆ１＋ｆ２｜）が、いずれも０．５以下であることを特徴とする請求項１〜７のいずれかに記載のインクジェット記録装置。
【請求項９】
前記記録媒体は、ロール状の記録媒体であることを特徴とする請求項１〜８のいずれかに記載のインクジェット記録装置。
【請求項１０】
記録媒体を切断する記録媒体切断手段を有することを特徴とする請求項１〜９のいずれかに記載のインクジェット記録装置。
【請求項１１】
前記記録媒体切断手段は、前記搬送路上を搬送される記録媒体を各々独立に切断可能であることを特徴とする請求項１０記載のインクジェット記録装置。
【請求項１２】
前記記録媒体切断手段は、前記記録手段と共に移動することを特徴とする請求項１０又は１１記載のインクジェット記録装置。
【請求項１３】
前記記録媒体は、シート状の記録媒体であることを特徴とする請求項１〜８のいずれかに記載のインクジェット記録装置。
【発明の詳細な説明】
【０００１】
【発明の属する技術分野】
本発明はインクジェット記録装置に関し、詳しくは記録時間を大幅に短縮可能なインクジェット記録装置に関する。
【０００２】
【従来の技術】
ロール状やシート状の記録媒体上にインクを噴射させて画像を記録するインクジェット記録装置は、一般に、記録媒体上にインクの噴射を行うインクヘッドを該記録媒体の幅方向に亘って走査させ、その走査の過程でインクを噴射して画像の記録を行う動作と、その走査方向と略直交する方向に沿って記録媒体を所定量搬送する動作とを順次繰り返すことにより、記録媒体上に所望の画像が記録形成されるようになっている。
【０００３】
【発明が解決しようとする課題】
かかるインクジェット記録装置により複数の画像を記録形成する場合、その記録時間を短縮し、高速度の記録を行うことが求められている。
【０００４】
通常、インクジェット記録装置は、記録ヘッドを走査方向の一方端部において停止状態から移動を開始させ、走査方向の他端部において停止して一動作が終了する。このとき、記録媒体への画像記録は、記録ヘッドを一定の速度で走査しながら行う必要があるため、記録ヘッドはインクを噴射する実際の記録開始の前に、停止状態から一定の加速時間を経て定速状態とし、記録ヘッドがこの定速状態にある時に記録を行うようになっている。また、記録終了後は一定の減速時間を経て停止するようになっている。
【０００５】
この加減速時間は記録ヘッドについて一定であるため、例えば記録すべき複数画像が小サイズのものになればなるほど、記録ヘッドの有効主走査率（全走査時間に対する定速状態にある時間の割合）が低下するため、処理能力が低下し、それだけ記録時間がかかる結果となる。
【０００６】
そこで、本発明は、複数の画像を記録形成する場合の記録時間を大幅に短縮可能なインクジェット記録装置を提供することにある。
【０００７】
【課題を解決するための手段】
請求項１記載の発明は、インクを噴射して記録媒体上に画像を記録するインクジェット記録装置において、各々記録媒体を供給する複数の記録媒体供給手段と、前記各々の記録媒体供給手段より供給される記録媒体を各々搬送するための複数の搬送路と、前記搬送路上に設けられ、前記記録媒体を搬送する搬送手段と、前記記録媒体の搬送方向と略直交する方向に沿って前記各々の記録媒体に亘って走査を行い、インクを噴射することにより記録を行う記録手段と、各々の記録媒体を選択的に搬送状態若しくは非搬送状態とする手段と、を有し、前記搬送手段は、搬送ローラと記録媒体を該搬送ローラに各々圧着させる圧着ローラからなると共に、前記記録媒体を選択的に搬送状態若しくは非搬送状態とする手段は、該圧着ローラを選択的に圧着状態若しくは圧着解除状態とする手段からなり、前記圧着ローラによる圧着解除時に、圧着解除された記録媒体を搬送手段に対して浮かせる浮かせ機構を有することを特徴とするインクジェット記録装置である。
【０００８】
この発明によれば、複数画像を複数の記録媒体に亘って同時並行的に記録することができるため、１枚当たりの記録時間の大幅な短縮化が可能である。
【００１２】
また、この発明によれば、供給される複数の記録媒体のうちのいずれかを選択的に搬送させることにより、記録を行う記録媒体を搬送させ、記録を行わずに搬送する必要のない記録媒体を搬送させないようにすることができため、記録媒体を無駄にするようなことがない。
【００１４】
また、この発明によれば、簡単な構成で記録媒体を搬送状態若しくは非搬送状態にすることができる。
【００１６】
また、この発明によれば、記録媒体をより確実に非搬送状態にすることができると共に、非搬送状態にある記録媒体の裏面が搬送ローラに擦れて損傷する事態を回避することができる。
【００１７】
請求項２記載の発明は、前記浮かせ機構は、記録媒体裏面に対してその表面側が接離可能な板状部材からなることを特徴とする請求項１記載のインクジェット記録装置である。
【００１８】
この発明によれば、記録媒体を簡単な構成で搬送ローラから浮かせることができる。
【００１９】
請求項３記載の発明は、前記浮かせ機構は、記録媒体裏面に対してその長手方向が接離可能な棒状部材からなることを特徴とする請求項１記載のインクジェット記録装置である。
【００２０】
この発明によれば、記録媒体を簡単な構成で搬送ローラから浮かせることができる。
【００２１】
請求項４記載の発明は、前記浮かせ機構は、記録媒体裏面に対してその先端部が接離可能なピン状部材からなることを特徴とする請求項１記載のインクジェット記録装置である。
【００２２】
この発明によれば、記録媒体を簡単な構成で搬送ローラから浮かせることができる。
【００２３】
請求項５記載の発明は、前記複数の記録媒体のうちで記録を行う記録媒体の数に応じた複数のモードを有することを特徴とする請求項１〜４のいずれかに記載のインクジェット記録装置である。
【００２４】
この発明によれば、２枚以上の画像を速く記録したい場合には複数の記録媒体に亘って同時並列的に記録を行うようにし、１枚目のみを速く記録したい場合には、１枚目を１列の記録媒体のみに亘って記録を行うようにする等、一台で要望に応じた多様性に富む記録形態を採ることができるようになる。
【００２５】
請求項６記載の発明は、画像を記録する枚数に応じて前記モードを変更することを特徴とする請求項５記載のインクジェット記録装置である。
【００２６】
この発明によれば、オペレータが記録媒体を何列使用するか逐一指示する手間が省け、作業の省力化が図れる。
【００２７】
請求項７記載の発明は、前記モードに応じて前記記録手段の走査幅を変更することを特徴とする請求項５又は６記載のインクジェット記録装置である。
【００２８】
この発明によれば、例えば１例の記録媒体のみに画像記録する場合は、１列の記録媒体のみに亘って走査した方が記録が速く行えるため、記録時間の短縮化を有効に図り得る。
【００２９】
請求項８記載の発明は、前記搬送手段と各々の記録媒体との摩擦係数の値（μ）若しくは搬送力の値（ｆ）におけるいずれか２つの値の比率（｜μ１−μ２｜／｜μ１＋μ２｜若しくは｜ｆ１−ｆ２｜／｜ｆ１＋ｆ２｜）が、いずれも０．５以下であることを特徴とする請求項１〜７のいずれかに記載のインクジェット記録装置である。
【００３０】
搬送手段よって搬送される複数の記録媒体の各々の搬送量のばらつきを抑え、画像ムラの発生のない良質な画像記録が行える。
【００３１】
請求項９記載の発明は、前記記録媒体は、ロール状の記録媒体であることを特徴とする請求項１〜８のいずれかに記載のインクジェット記録装置である。
【００３２】
ロール状の記録媒体を用いれば、同じ幅で長さを変えることにより複数サイズの記録が可能となる。また、給排紙の時間が不要となり、記録時間の短縮化を図る上で有効である。
【００３３】
請求項１０記載の発明は、記録媒体を切断する記録媒体切断手段を有することを特徴とする請求項１〜９のいずれかに記載のインクジェット記録装置である。
【００３４】
この発明によれば、記録装置において記録媒体の切断作業も行えるため、別途切断装置を用意する必要がなく、また、切断を別途行う手間も省ける。
【００３５】
請求項１１記載の発明は、前記記録媒体切断手段は、前記搬送路上を搬送される記録媒体を各々独立に切断可能であることを特徴とする請求項１０記載のインクジェット記録装置である。
【００３６】
この発明によれば、複数の記録媒体毎にそれぞれ異なる長さの画像を記録することができ、各記録媒体毎に異なるタイミングで画像を記録開始することもできるようなる。
【００３７】
請求項１２記載の発明は、前記記録媒体切断手段は、前記記録手段と共に移動することを特徴とする請求項１０又は１１記載のインクジェット記録装置である。
【００３８】
この発明によれば、記録手段の移動によって切断手段も移動し、記録媒体の切断が可能であるため、切断手段に格別の駆動機構を設ける必要がなく、切断手段の構成を簡素にすることができる。
【００３９】
請求項１３載の発明は、前記記録媒体は、シート状の記録媒体であることを特徴とする請求項１〜８のいずれかに記載のインクジェット記録装置である。
【００４０】
この発明によれば、特に規格サイズの画像を記録する場合、切断の手間が省けるため有利である。
【００４１】
【発明の実施の形態】
以下、本発明の実施の形態について図面を用いて説明する。
【００４２】
まず、本発明に係るインクジェット記録装置の第一の実施形態の全体構成について説明する。
【００４３】
図１はインクジェット記録装置の概要を示す正面構成図、図２はその側面構成図であり、１は記録媒体供給手段、２は該記録媒体供給手段１から供給される記録媒体を搬送する搬送手段、３は記録媒体に記録を行う記録手段、４は記録済みの記録媒体を切断する記録媒体切断手段、５は切断された記録媒体を収容する排紙皿である。
【００４４】
記録媒体供給手段１は、それぞれ記録媒体１０Ａ、１０Ｂが長尺状に巻回されてロール状に形成された第１のペーパーロール１Ａ及び第２のペーパーロール１Ｂが装置上方に回転可能にそれぞれ保持されて構成されている。これにより記録媒体１０Ａ、１０Ｂは、各ペーパーロール１Ａ、１Ｂからそれぞれ供給され、後述する搬送手段２によって図示下方向に搬送されるようになっている。
【００４５】
なお、本明細書では、このように２つのペーパーロール１Ａ、１Ｂからそれぞれ記録媒体１０Ａ、１０Ｂが供給される場合を図示して説明するが、本発明においては、画像が記録される記録媒体が２列以上の複数列となるように構成されれば、該記録媒体を供給するペーパーロールの数は図示する２つに限定されない。
【００４６】
搬送手段２は、記録媒体１０Ａ、１０Ｂの搬送路上に設けられており、各記録媒体１０Ａ、１０Ｂに亘って延びる１本の搬送ローラ２１と該搬送ローラ２１に対して各記録媒体１０Ａ、１０Ｂを各々独立して圧着させるための圧着ローラ２２Ａ、２２Ｂと、上記搬送ローラ２１を駆動させるための搬送モータ２３によって構成されている。各ペーパーロール１Ａ、１Ｂからそれぞれ供給された記録媒体１０Ａ、１０Ｂは、上記搬送ローラ２１と圧着ローラ２２Ａ、２２Ｂとの間に挟持されつつ、搬送ローラ２１の回転によって図示下方向に各々搬送される。
【００４７】
このようにして各記録媒体１０Ａ、１０Ｂが供給されることにより、複数（２つ）の搬送路が形成される。
【００４８】
なお、各々の搬送路途上には、記録媒体１０Ａ、１０Ｂの搬送方向の後端位置を検出する光学式の後端位置検出センサＳ１Ａ及びＳ１Ｂ、先端位置を検出する光学式の先端位置検出センサＳ２Ａ及びＳ２Ｂがそれぞれ設けられ、記録媒体１０Ａ、１０Ｂの有無を検出し得るようになっている。
【００４９】
上記各圧着ローラ２２Ａ、２２Ｂは、図３に示すように、搬送ローラ２１に対して圧着させてその間に記録媒体１０Ａ、１０Ｂを挟持させ、搬送ローラ２１の回転によって記録媒体１０Ａ、１０Ｂを搬送させる圧着位置（実線の位置）と、圧着を解除して記録媒体１０Ａ、１０Ｂの搬送を休止させる圧着解除位置（二点鎖線の位置）との２つの位置を、図示しない搬送切替モータを駆動させることによって採ることができるように構成されており、これにより圧着ローラ２２Ａ、２２Ｂを上記２つの位置に選択的に切り替えることにより、記録媒体１０Ａ、１０Ｂの搬送状態、非搬送状態を各々任意に作り出すことができるようになっている。
【００５０】
各圧着ローラ２２Ａ、２２Ｂの上記２つの位置は、図示しない圧着位置検出センサ及び圧着解除位置検出センサによって各々検出される。
【００５１】
このように記録媒体１０Ａ、１０Ｂの搬送状態、非搬送状態を各々任意に作り出すことにより、複数列の記録媒体のいずれかを選択的に記録して搬送させ、記録を行わずに搬送する必要のない記録媒体を搬送しないようにすることができて記録媒体を無駄にすることがない。また、複数列の記録媒体で搬送ローラを共用できるため、各列を独立に駆動搬送させる場合に比べ、高精度なローラや駆動モータ、動力伝達系が１つで済み、装置コストの高騰を防ぐことができる。
【００５２】
本実施の形態においては、圧着ローラ２２Ａ及び／又は２２Ｂが圧着解除位置にあって記録媒体１０Ａ及び／又は１０Ｂを非搬送状態としている際に、その非搬送状態を更に確実にするため、搬送ローラ２１の上流側に、非搬送状態とされた記録媒体１０Ａ及び／又は１０Ｂを搬送ローラ２１から浮かせるための浮かせ機構が記録媒体１０Ａ、１０Ｂに対応して各々設けられている。
【００５３】
この浮かせ機構は、各々の記録媒体１０Ａ、１０Ｂの裏面に対してその表面側が接離可能に設けられた板状部材２４Ａ、２４Ｂからなり、図３に示すように、圧着ローラ２２Ａ、２２Ｂが圧着位置にある時には、記録媒体１０Ａ、１０Ｂの裏面から距離をおいて位置し（実線の状態）、圧着ローラ２２Ａ、２２Ｂが圧着解除位置にある時には、回転軸２５Ａ、２５Ｂを中心にしてその表面側が記録媒体１０Ａ、１０Ｂの裏面に当接して押し上げるように回動し、記録媒体１０Ａ、１０Ｂを搬送ローラ２１から浮かせるように機能する（二点鎖線の状態）。これにより非搬送状態にある記録媒体１０Ａ及び／又は１０Ｂと搬送ローラ２１とを非接触状態とすることができ、非搬送状態の確実性を図ると同時に、非搬送状態にある記録媒体１０Ａ及び／又は１０Ｂの裏面が回転する搬送ローラ２１によって擦れて損傷する事態を回避する。
【００５４】
上記板状部材２４Ａ、２４Ｂを記録媒体１０Ａ、１０Ｂの裏面に接離させるには、適宜のリンク機構を用いて、圧着ローラ２２Ａ、２２Ｂを上記２つの位置に移動させるための搬送切替モータの駆動力を伝達させ、この搬送切替モータにより圧着ローラ２２Ａ、２２Ｂの移動に同期して行うようにすることが好ましい。
【００５５】
なお、板状部材２４Ａ、２４Ｂの位置は、必ずしも搬送ローラ２１の上流側に限定されない。
【００５６】
記録手段３は、上記搬送手段２の下流側に配置されており、各々の記録媒体１０Ａ、１０Ｂの表面側（記録面側）に、該記録媒体１０Ａ、１０Ｂに対して複数のノズルから液滴状のインクを噴射して画像を記録形成するための記録ヘッド３１と、記録媒体１０Ａ、１０Ｂの搬送方向（副走査方向）と略直交するように横架された走査ガイド３２に沿って移動可能に取付けられたキャリッジ３３と、該キャリッジ３３を移動させるキャリッジモータ３４によって構成されている。
【００５７】
記録ヘッド３１は、例えばＹ（イエロー）、Ｍ（マゼンタ）、Ｃ（シアン）、Ｋ（ブラック）等の各インクが貯溜された複数のインクタンクと、各々のインクタンク内のインクを液滴状に射出するための多数のノズルヘッドを有して構成されており、これらがキャリッジ３３に装備されることにより、該キャリッジ３３がキャリッジモータ３４によって駆動されることで、記録媒体１０Ａ、１０Ｂの搬送方向と略直交する方向（主走査方向）に沿い、且つ各々の記録媒体１０Ａ、１０Ｂに亘って移動する。この記録ヘッド３１の移動量は、図示しないリニアエンコーダによって検出されるようになっている。
【００５８】
また、キャリッジ３３には、記録ヘッド３１よりも搬送方向の上流側に、記録媒体検知センサ３５が設けられており、該センサ３５によって記録媒体１０Ａ、１０Ｂの側縁部を検出し、記録媒体１０Ａ、１０Ｂへの記録開始位置を検出することができるようになっている。。
【００５９】
上記記録ヘッド３１によって画像記録が行われる記録媒体１０Ａ、１０Ｂの裏面側には、記録ヘッド３１に対向するように、主走査方向に沿い且つ各記録媒体１０Ａ、１０Ｂに亘ってプラテン３６が配設されている。
【００６０】
このプラテン３６は、図４に示すように、記録媒体１０Ａ、１０Ｂの裏面に対向する面に所定間隔及び所定配列で多数の吸引孔３６１が設けられた箱体状に形成されており、内部の空気を図示しない吸引ファンや吸引ポンプ等の吸引手段によって吸引することで内部を負圧にし、上記吸引孔３６１が設けられた面に記録媒体１０Ａ、１０Ｂを吸着させ、記録ヘッド３１による画像記録時の記録媒体１０Ａ、１０Ｂの浮き上がりを防止する。
【００６１】
記録媒体切断手段４は、上記記録手段３によって画像が記録形成された記録媒体１０Ａ、１０Ｂを、搬送路上に設けられた搬送ガイド板６を介して受け入れ、該記録媒体１０Ａ、１０Ｂを所定の位置で主走査方向と同一方向に沿って各々切断し、シート状のプリントとする。
【００６２】
この記録媒体切断手段４には、図５（ａ）（ｂ）に示すように、記録媒体１０Ａ、１０Ｂの各々を独立して切断可能とするために、各々の記録媒体１０Ａ、１０Ｂの搬送路上に、各記録媒体１０Ａ、１０Ｂの幅よりも若干幅広状のカッタ４１Ａ、４１Ｂが、主走査方向と同一方向に沿って延び、各記録媒体１０Ａ、１０Ｂの表面側に所定間隔をおいて上下動可能に配置されており、各々カッタ駆動モータ４２Ａ、４２Ｂの駆動力により下動することで、記録媒体１０Ａ、１０Ｂを切断するようになっている。
【００６３】
なお、４３Ａ、４３Ｂは記録媒体１０Ａ、１０Ｂをカッタ４１Ａ、４１Ｂの位置まで搬送するための第一の搬送ローラ対、４４Ａ、４４Ｂは切断済みの記録媒体１０Ａ、１０Ｂを排出するための第二の搬送ローラ対、４５Ａ、４５Ｂは記録媒体１０Ａ、１０Ｂの先端位置を検出するための光学式の先端検出センサ、４６Ａ、４６Ｂは記録媒体１０Ａ、１０Ｂの切断位置を検出するための光学式の切断位置検出センサである。
【００６４】
記録媒体切断手段４によって所定長さのシート状に切断された記録媒体１０Ａ、１０Ｂは、第二の搬送ローラ対４４Ａ、４４Ｂの搬送によって該記録媒体切断手段４から排出され、その下流側に配設されている排紙皿５に各々収容される。
【００６５】
次に、かかるインクジェット記録装置の電気的構成について図６に示す構成ブロック図を用いて説明する。
【００６６】
図中、１００はホスト機器であり、本実施の形態に示すインクジェット記録装置において記録すべき画像データ（画像の記録サイズ等のパラメータ、ＹＭＣＫ等に色分解された画像のデータ）を所有しているコンピュータからなる。このホスト機器１００から送出される画像データは、インターフェース部１０１を介してインクジェット記録装置に取り込まれる。
【００６７】
１０２はホスト機器１００から取り込んだ画像データを一時格納する画像メモリ、１０３は画像メモリ１０２への画像データの書き込みを制御するメモリライトコントローラ、１０４は画像メモリ１０２に格納された画像データの読み出しを制御するメモリリードコントローラ、１０５はメモリリードコントローラ１０４によって画像メモリ１０２から読み出された画像データに応じて記録ヘッド３１のインクの噴射を駆動制御するヘッドドライバである。
【００６８】
１０６は、インターフェース部１０１、画像メモリ１０２、メモリライトコントローラ１０３、メモリライトコントローラ１０４を制御してホスト機器１００から画像データの情報を取り込み、記録媒体を検知する各種センサＳ１Ａ、Ｓ１Ｂ等や画像データに応じてヘッドドライバ１０５、搬送モータ２３、キャリッジモータ３４、搬送切替モータ１０７Ａ、１０７Ｂを制御するＣＰＵである。
【００６９】
これらインターフェース部１０１、画像メモリ１０２、メモリライトコントローラ１０３、メモリライトコントローラ１０４、ヘッドドライバ１０５及びＣＰＵ１０６によって制御手段が構成される。
【００７０】
ＣＰＵ１０６は、ホスト機器１００から送られて画像メモリ１０２に格納された複数画像に関連する画像データのうちから、記録手段３１の走査方向の位置に応じていずれかの画像を選択し、選択された画像に関連するデータを記録手段３１へ送る。
【００７１】
次に、かかるインクジェット記録装置の動作の制御について説明する。
【００７２】
まず、２列の記録媒体１０Ａ、１０Ｂによって３枚の画像を記録形成する場合について説明する。
【００７３】
（１）  ホスト機器１００よりインターフェース部１０１を介して、ＣＰＵ１０６に画像を３枚記録することを通知する。
【００７４】
（２）  ＣＰＵ１０６は、搬送切替モータ１０７Ａ、１０７Ｂを制御し、記録媒体１０Ａ、１０Ｂを２列とも搬送可能な状態に設定し、搬送モータ２３を駆動して記録媒体先端を画像記録開始位置まで搬送する。
【００７５】
（３）  ＣＰＵ１０６は、記録媒体を検知する各種センサＳ１Ａ、Ｓ１Ｂ等により２列とも記録媒体１０Ａ、１０Ｂが存在することを確認する。
【００７６】
（４）  ＣＰＵ１０６はインターフェース部１０１を介して、ホスト機器１００に画像データの転送が可能であることを通知すると共に、メモリライトコントローラ１０３に書き込み開始メモリアドレスやデータサイズ等のメモリ書き込み情報を設定する。
【００７７】
（５）  ホスト機器１００は、１枚目の画像データをインターフェース部１０１を介して画像メモリ１０２に転送開始する。このとき、メモリライトコントローラ１０３は画像メモリ１０２への書き込みを制御し、ＣＰＵ１０６はメモリライトコントローラ１０３を介して画像データの転送状態を監視する。
【００７８】
（６）  １枚目の画像データの転送が終了したら、ＣＰＵ１０６はメモリライトコントローラ１０３に２枚目の画像データを転送するためのメモリ書き込み情報を設定する。
【００７９】
（７）  ホスト機器１００は引き続き２枚目の画像データの転送を開始し、メモリライトコントローラ１０３が画像メモリ１０２への書き込みを制御する。また、ＣＰＵ１０６はメモリライトコントローラ１０３を介して画像データの転送状態を監視する。
【００８０】
（８）  ２枚目の画像データの転送が終了したら、ＣＰＵ１０６はメモリリードコントローラ１０４に読み出し開始メモリアドレスやデータサイズ等のメモリ読み出し情報を設定し、ヘッドドライバ１０５を記録可能状態に設定する。
【００８１】
（９）  ＣＰＵ１０６はキャリッジモータ３４を駆動し、キャリッジ３３が２列の記録媒体１０Ａ、１０Ｂに亘って横切って移動するように制御する。
【００８２】
（１０）  キャリッジ３３の移動に同期して、メモリリードコントローラ１０４が画像データを読み出し、ヘッドドライバ１０５に入力する。ヘッドドライバ１０５は入力された画像データに応じて記録ヘッド３１を駆動し、インクを記録媒体１０Ａ、１０Ｂの記録面に射出する。これにより一方の記録媒体１０Ａに記録される１枚目の画像と他方の記録媒体１０Ｂに記録される２枚目の画像のそれぞれ先頭部１走査分の画像が形成される。
【００８３】
（１１）  キャリッジ３３が２列の記録媒体１０Ａ、１０Ｂを横切り、１回の走査が終了したら、ＣＰＵ１０６は搬送モータ２３を駆動し、記録媒体１０Ａ、１０Ｂを２列とも所定量搬送する。
【００８４】
（１２）  記録媒体１０Ａ、１０Ｂの所定量の搬送が終了したら、ＣＰＵ１０６はキャリッジモータ３４を駆動し、キャリッジ３３を前回とは逆の方向に移動させ、上記（１０）と同様にして次の１走査分の画像を記録する。
【００８５】
（１３）  画像記録の最中で２枚目の画像転送終了後、ＣＰＵ１０６はメモリライトコントローラ１０３に３枚目の画像データ転送のためのメモリ書き込み情報を設定し、ホスト機器１００は引き続き３枚目の画像データの転送を開始する。このときメモリライトコントローラ１０３は画像メモリ１０２への書き込みを制御し、ＣＰＵ１０６はメモリライトコントローラ１０３を介して画像データの転送状態を監視する。
【００８６】
（１４）  上記（９）〜（１２）を繰り返し、１枚目と２枚目の画像をそれぞれ記録媒体１０Ａ、１０Ｂに並行して記録していく。
【００８７】
（１５）  １枚目と２枚目の画像記録が終了したら、ＣＰＵ１０６は搬送モータ２３を駆動して２列の記録媒体１０Ａ、１０Ｂを記録媒体切断手段４の切断位置まで搬送し、カッタ駆動モータ４２Ａ、４２Ｂを駆動してカッタ４１Ａ、４１Ｂを下動させ、２列の記録媒体１０Ａ、１０Ｂをそれぞれ所定位置で切断する。
これにより１枚目と２枚目の画像がそれぞれ切り離される。
【００８８】
（１６）  ＣＰＵ１０６は搬送モータ２３を駆動して、画像が切り離された２列の記録媒体１０Ａ、１０Ｂを、次の記録に備えるために、記録媒体切断手段４の位置からそれぞれ記録ヘッド３１による記録開始位置まで巻き戻す。
【００８９】
（１７）  ＣＰＵ１０６は搬送切替モータ１０７Ａ、１０７Ｂを制御し、いずれかの圧着ローラ（ここでは２２Ｂとする）を圧着解除位置に移動させ、記録媒体１０Ｂのみ１列を非搬送状態に設定する（他方は搬送状態のままとする）。
【００９０】
（１８）  ＣＰＵ１０６は記録媒体を検知する各種センサＳ１Ａ等により、搬送状態に設定されている列の記録媒体１０Ａが存在することを確認する。
【００９１】
（１９）  ３枚目の画像データ転送が終了したら、ＣＰＵ１０６はメモリリードコントローラ１０４に、読み出し開始メモリアドレスやデータサイズ等のメモリ読み出し情報を設定し、ヘッドドライバ１０５を記録可能状態に設定する。
【００９２】
（２０）  ＣＰＵ１０６はキャリッジモータ３４を駆動し、記録を行う側の列の記録媒体１０Ａのみをキャリッジ３３が横切って移動するように制御する。
【００９３】
（２１）  キャリッジ３３の移動に同期して、メモリリードコントローラ１０４が画像データを読み出し、ヘッドドライバ１０５に入力する。ヘッドドライバ１０５は入力された画像データに応じて記録ヘッド３１を駆動し、インクを記録媒体１０Ａの記録面に射出する。これにより３枚目の画像の先頭部１走査分の画像が形成される。
【００９４】
（２２）  キャリッジ３３が記録媒体１０Ａのみを横切り、１回の走査が終了したら、ＣＰＵ１０６は搬送モータ２３を駆動し、記録媒体１０Ａを所定の量搬送する。このとき画像記録を行わない記録媒体１０Ｂ側は圧着ローラ２２Ｂが圧着解除位置にあって非搬送状態にあるため、搬送モータ２３を駆動させても搬送されず、搬送状態にある画像記録した記録媒体１０Ａの１列のみが搬送される。
【００９５】
（２３）  記録媒体１０Ａの搬送が終了したら、ＣＰＵ１０６はキャリッジモータ３４を駆動し、キャリッジ３４を前回とは逆の方向に移動させ、上記（２１）と同様にして次の１走査分の画像を記録する。
【００９６】
（２４）  上記（２０）〜（２３）を繰り返し、記録媒体１０Ａに３枚目の画像を記録していく。
【００９７】
（２５）  記録媒体１０Ａに３枚目の画像記録が終了したら、ＣＰＵ１０６は搬送モータ２３を駆動して画像記録した記録媒体１０Ａのみ１列を記録媒体切断手段４の切断位置まで搬送し、カッタ駆動モータ４２Ａを駆動して記録媒体１０Ａの１列だけ切断する。これにより３枚目の画像が切り離される。
【００９８】
（２６）  ＣＰＵ１０６は搬送モータ２３を駆動して、次の記録に備えるために、記録媒体１０Ａを記録媒体切断手段４の位置から記録ヘッド３１による記録開始位置まで巻き戻す。
【００９９】
このように本発明に係るインクジェット記録装置では、記録ヘッドを複数列の記録媒体に亘って走査を行い、複数画像を同時並列的に記録するようにしているため、複数画像を１列で搬送される記録媒体に対して順次記録を行う場合に比べて、大幅に記録時間を短縮させることが可能となる。これを以下に具体例を示して説明する。
【０１００】
一般に、記録ヘッドによる記録媒体に対する記録時間は、次の関係で決まる。
【０１０１】
（記録時間）＝（キャリッジ走査時間）×（走査回数）
【０１０２】
ここで、
（キャリッジ走査時間）＝（キャリッジ加速時間）＋（キャリッジ定速走査時間）＋（キャリッジ減速時間）
（キャリッジ定速走査時間）＝（キャリッジ定速走査距離）／（キャリッジ走査速度）
（キャリッジ定速走査距離）＝（記録媒体幅）＋（記録ヘッド幅）＋（定速走査マージン片側）×２
（キャリッジ走査速度）＝（ヘッド駆動周波数）／（記録解像度）
（キャリッジ加速時間）＝（キャリッジ走査速度）／（キャリッジ加速度）
（キャリッジ減速時間）＝（キャリッジ走査速度）／（キャリッジ加速度）
（走査回数）＝（記録長さ）×（記録解像度）／（記録ヘッドノズル数）
である。
【０１０３】
そこで、例えば図７に示すように、８９ｍｍ（幅）×１２７ｍｍ（長さ）の２枚の画像を、１４０ｍｍ幅の記録ヘッドで、７２０dpi（２８．３dot／ｍｍ）で記録する場合、記録ヘッドノズル数を１２８、ヘッド駆動周波数を５０kHz、キャリッジ加速度を１０ｍ／ｓ2、定速走査マージン片側を５ｍｍとした場合について、１列の記録媒体のみで記録を行った場合（図７（ａ））と、２列の記録媒体に同時並列的に記録を行った場合（図７（ｂ））の記録時間の違いを比較すると、以下の通りとなる。
【０１０４】
まず、１列で記録する場合では、
（キャリッジ定速走査距離）＝（記録媒体幅）＋（記録ヘッド幅）＋（定速走査マージン片側）×２
＝８９ｍｍ＋１４０mm＋５mm×２
＝２３９mm
（キャリッジ走査速度）＝（ヘッド駆動周波数）／（記録解像度）
＝５０kHz／２８．３dot／ｍｍ
＝１７６７ｍｍ／ｓ
（キャリッジ定速走査時間）＝（キャリッジ定速走査距離）／（キャリッジ走査速度）
＝２３９mm／１７６７mm／ｓ
＝０．１４ｓ
（キャリッジ加速時間）＝（キャリッジ走査速度）／（キャリッジ加速度）
＝１７６７ｍｍ／ｓ／１００００ｍｍ／ｓ2
＝０．１８ｓ
（キャリッジ走査時間）＝（キャリッジ加速時間）＋（キャリッジ定速走査時間）＋（キャリッジ減速時間）
＝０．１８ｓ＋０．１４ｓ＋０．１８ｓ
＝０．５０ｓ
（走査回数）＝（記録長さ）×（記録解像度）／（記録ヘッドノズル数）
＝１２７ｍｍ×２８．３dot／ｍｍ／１２８
＝２８回
（記録時間）＝（キャリッジ走査時間）×（走査回数）
＝０．５０ｓ×２８回
＝１４．０ｓ
２枚の画像を記録する場合には、これを順次２回繰り返すから、
１４．０ｓ×２回＝２８．０ｓ
すなわち、１列で２枚の画像を記録するには、２８．０秒かかることになる。
【０１０５】
一方、２列で記録する場合では、図７（ｂ）に示す通り、８９mm幅の記録媒体を１０mmの間隔で２列並べるものとすると、
（キャリッジ定速走査距離）＝（記録媒体幅）＋（記録ヘッド幅）＋（定速走査マージン片側）×２
＝（８９mm×２＋１０mm）＋１４０mm＋５mm×２
＝３３８mm
（キャリッジ走査速度）＝（ヘッド駆動周波数）／（記録解像度）
＝５０kHz／２８．３dot／mm
＝１７６７mm／ｓ
（キャリッジ定速走査時間）＝（キャリッジ定速走査距離）／（キャリッジ走査速度）
＝３３８mm／１７６７mm／ｓ
＝０．１９ｓ
（キャリッジ加速時間）＝（キャリッジ走査速度）／（キャリッジ加速度）
＝１７６７ｍｍ／ｓ／１００００ｍｍ／ｓ2
＝０．１８ｓ
（キャリッジ走査時間）＝（キャリッジ加速時間）＋（キャリッジ定速走査時間）＋（キャリッジ減速時間）
＝０．１８ｓ＋０．１９ｓ＋０．１８ｓ
＝０．５５ｓ
（走査回数）＝（記録長さ）×（記録解像度）／（記録ヘッドノズル数）
＝１２７ｍｍ×２８．３dot／ｍｍ／１２８
＝２８回
（記録時間）＝（キャリッジ走査時間）×（走査回数）
＝０．５５ｓ×２８回
＝１５．４ｓ
【０１０６】
このように１列の記録媒体で２枚の画像を順次記録する場合では、２８秒の記録時間であるのに対し、２枚の画像を２列の記録媒体に同時並列的に記録する場合では、１５．４秒の記録時間で済むようになる。これは、記録を行う記録媒体の列数が１列の場合でも２列の場合でも、記録ヘッド幅分の走査時間と加減速時間は変わらないため、２列の場合の方が画像１枚当たりの記録時間が短縮できるからである。記録を行う記録媒体の列数を更に増加すれば、記録時間の更なる短縮化を図り得るものとなることはもちろんである。
【０１０７】
次に、以上説明した２列の記録媒体に同時並列的に記録を行っている途中で、一方の記録媒体の用紙切れが発生した場合（４枚の画像を記録中、２枚の画像記録後に１列用紙切れが発生した場合）の動作例を説明する。
【０１０８】
（１）  ホスト機器１００よりインターフェイス部１０１を介して、ＣＰＵ１０６に画像を４枚記録することを通知する。
【０１０９】
（２）  前記動作例の（２）〜（１６）と同じ動作により、１枚目と２枚目の画像を並行記録し、切断する。
【０１１０】
（３）  ＣＰＵ１０６は記録媒体を検出する各種センサＳ１Ａ、Ｓ１Ｂ等により、２列の記録媒体１０Ａ、１０Ｂの有無を確認し、１列の記録媒体（ここでは１０Ｂとする）がないことを検知する。
【０１１１】
（４）  ＣＰＵ１０６は一方の搬送切替モータ１０７Ｂを制御し、圧着ローラ２２Ｂを圧着解除状態とし、記録媒体１０Ｂがない方の１列を非搬送状態に設定する（記録媒体１０Ａ側は、搬送状態のままとする）。
【０１１２】
（５）  前記動作例の（１９）〜（２６）と同じ動作により、記録媒体１０Ａに３枚目の画像を記録し、切断する。
【０１１３】
（６）  同じく記録媒体１０Ａに３枚目と同じ動作を繰り返し、４枚目の画像を記録し、切断する。
【０１１４】
このように本発明に係るインクジェット記録装置によれば、いずれかの搬送路において用紙切れを検知した際には、記録媒体の存在する列だけで記録を行うことができるため、常にすべての列に記録媒体が存在していなくてもよく、記録作業を中断することなく複数画像の記録を続行することができる。
【０１１５】
なお、搬送手段２においては、搬送ローラ２と該搬送ローラ２１によって搬送される各々の記録媒体１０Ａ、１０Ｂとの摩擦係数の値（μ）若しくは搬送力の値（ｆ）におけるいずれか２つの値の比率（｜μ1−μ2｜／｜μ1＋μ2｜若しくは｜ｆ1−ｆ2｜／｜ｆ1＋ｆ2｜）が、いずれも０．５以下であることが好ましい。
【０１１６】
ここで、搬送力（ｆ）とは、図１３に示すように、搬送ローラ２１と圧着ローラ２２Ａ、２２Ｂとの間に記録媒体を挟持させた状態で、その記録媒体の一端を引き出し、記録媒体が搬送ローラ２１と圧着ローラ２２Ａ、２２Ｂとの間から引き出された時の荷重をテンションゲージで測定した際の値である。
【０１１７】
これにより搬送ローラ２１によって同期的に搬送される複数列の記録媒体１０Ａ、１０Ｂの互いの搬送量の差をなくすことができ、画像の記録ムラの発生をなくし、良質な画像の記録を行うことができる。上記比率の値がいずれも０．５を越えると、複数列の記録媒体の相互に搬送量のずれが生じ易くなり、上記効果が得難くなる。
【０１１８】
また、記録媒体１０Ａ、１０Ｂの搬送状態、非搬送状態を各々任意に作り出す機能を更に有効に利用するため、複数の記録媒体１０Ａ、１０Ｂのうちで記録を行う記録媒体の数に応じた複数のモードを有するようにすることが好ましい。例えば、全列を使用して同時並列的に記録を行うモード、１列のみを使用して記録を行うモード、任意の複数列を使用して記録を行うモード等を有するようにし、２枚以上の複数の画像を速く記録したい場合には、全列の記録媒体を使用して記録を行うモードに設定すれば、全ての画像を最も高速度に記録することができ、また、複数の画像のうちの１枚目のみを速く記録したい場合には、１列のみを使用して記録を行うモードに設定すれば、１枚目を１列で記録した方が速く記録が終了し、要望に応じた多様性に富む記録形態を採ることができるようになる。
【０１１９】
かかるモードの変更は、画像の記録枚数に応じて変更可能であることが好ましい。例えば、画像が２枚以上の複数画像である場合には全列を使用し、画像が１枚のみの場合や、記録媒体が２列の場合における奇数枚数記録時の最後の１枚のような場合は、１列で記録するようにすると、オペレータの入力指示の手間を省き、自動化を図ることができる。
【０１２０】
図８及び図９は、搬送手段２に設けられた浮かせ板２４Ａ、２４Ｂに代わる浮かせ機構の別の態様を示している。
【０１２１】
図８は、浮かせ機構を記録媒体１０Ａ、１０Ｂの裏面に対してその長手方向が接離可能に設けられた棒状部材２６Ａ、２６Ｂによって構成した場合を示している。
【０１２２】
棒状部材２６Ａ、２６Ｂは、図８に示す例では、クランク状に形成され、各記録媒体１０Ａ、１０Ｂに対応してそれぞれ一対ずつ設けられ、搬送ローラ２１をその上下流側から挟むように、更に長手方向が記録媒体１０Ａ、１０Ｂの搬送方向と交差し且つ各記録媒体１０Ａ、１０Ｂをそれぞれ横切るように配置されている。各棒状部材２６Ａ、２６Ｂはその一端部がそれぞれ駆動モータ２７Ａ、２７Ｂの駆動によって所定角度だけ回転することにより、図８（ｂ）に示すように、各棒状部材２６Ａ、２６Ｂの他端側が記録媒体１０Ａ、１０Ｂの裏面から距離をおいて位置する状態（実線の状態）から、記録媒体１０Ａ、１０Ｂの裏面に当接して押し上げる状態（二点鎖線の状態）に変化することで、記録媒体１０Ａ、１０Ｂを搬送ローラ２１から浮かせるように機能する。
【０１２３】
また、図９は、浮かせ機構を記録媒体１０Ａ、１０Ｂの裏面に対してその先端部が接離可能に設けられたピン状部材２８Ａ、２８Ｂによって構成した場合を示している。
【０１２４】
ピン状部材２８Ａ、２８Ｂは、図９に示す例では、各記録媒体１０Ａ、１０Ａに対応してそれぞれ４本ずつ設けられ、それぞれ２本のピンで搬送ローラ２１をその上下流側から挟むように、且つ各々の線他部が各記録媒体１０Ａ、１０Ｂの裏面に臨むように立設状に配置されている。各ピン状部材２８Ａ、２８Ｂは、ソレノイド２８Ａ、２９Ｂの駆動によって各々４本同時に記録媒体１０Ａ、１０Ｂの裏面に向けて突出することにより、図９（ｂ）に示すように、その先端が記録媒体１０Ａ、１０Ｂの裏面から距離をおいて位置する状態（実線の状態）から、記録媒体１０Ａ、１０Ｂの裏面に当接して押し上げる状態（二点鎖線の状態）に変化することで、記録媒体１０Ａ、１０Ｂを搬送ローラ２１から浮かせるように機能する。
【０１２５】
なお、これら棒状部材２６Ａ、２６Ｂ及びピン状部材２８Ａ、２８Ｂの数は、図示するものに限定されない。
【０１２６】
図１０は、記録媒体切断手段４の別の態様を示している。図５と同一構成については同一符号を付してある。
【０１２７】
ここでは、各列の記録媒体１０Ａ、１０Ｂに独立したカッタ４１Ａ、４１Ｂに代えて、それらを一度に切断可能な一つのローラカッタ４７を設けて構成している。
【０１２８】
ローラカッタ４７は、各列の記録媒体１０Ａ、１０Ｂの搬送方向と略直交する方向に亘って延びるガイドレール４８に沿って、駆動モータ４９によって各記録媒体１０Ａ、１０Ｂを横切るように移動することで、各記録媒体１０Ａ、１０Ｂを同時に切断する。
【０１２９】
ローラカッタ４７の移動経路上には、記録媒体１０Ａ、１０Ｂの両外側及び記録媒体１０Ａと１０Ｂの間の計３箇所に、ローラカッタ４７の位置を検出するための接触式の位置検出センサ４０１、４０２、４０３が配設されており、ローラカッタ４７がこれらのいずれかのセンサを通過若しくはセンサに位置することで、ローラカッタ４７の通過又は位置の検出が行えるようになっている。
【０１３０】
かかるローラカッタ４７によって記録媒体１０Ａ、１０Ｂを切断する場合について説明すると、画像が記録された記録媒体１０Ａ、１０Ｂを同一の位置で切断する場合、ローラカッタ４７を一方の記録媒体１０Ａから他方の記録媒体１０Ｂに亘って移動させることで、両記録媒体１０Ａ、１０Ｂを一度に切断することができる。また、記録媒体１０Ａ、１０Ｂに記録されている画像のサイズがそれぞれ異なり、切断位置が記録媒体１０Ａと１０Ｂとで異なる場合、或いはいずれか１列の記録媒体のみを切断する場合には、いずれかの記録媒体を選択的に切断し得るように、ローラカッタ４７のホームポジションを記録媒体１０Ａと１０Ｂの間とし、そこから記録媒体１０Ａ又は１０Ｂの一方に亘って移動させることで１列の記録媒体のみを切断することができる。
【０１３１】
このローラカッタ４７の構成によれば、複数列の記録媒体を一つのローラカッタ４１０で切断可能であるため、駆動機構を共用でき、装置コストの低減化を図ることができる。
【０１３２】
次に、本発明に係るインクジェット記録装置の第二の実施の形態について、図１１及び図１２を用いて説明する。図１１は第二の実施の形態のインクジェット記録装置の概要を示す正面構成図、図１２（ａ）はその記録手段の概要を示す平面構成図、図１２（ｂ）は記録手段の概要を示す側面構成図を示している。なお、図中、第一の実施の形態と同一構成は同一符号を付してある。
【０１３３】
この態様では、記録媒体切断手段を、第一の実施の形態のように排紙皿５の直前に配置せず、記録媒体切断手段を記録手段３のキャリッジ３３上に配設している。
【０１３４】
図１２（ａ）に示すように、記録媒体切断手段４’は、切断方向がキャリッジ３３の移動方向、即ち主走査方向と同一方向となるようにキャリッジ３３上に配置されたカッタ４００からなっており、図示しないソレノイドの駆動によって上下移動可能に設けられ、キャリッジ３３の移動と共に移動するように構成されている。
【０１３５】
カッタ４００は、図１２（ｂ）に示すように、通常時（記録ヘッド３１による画像記録時）にはキャリッジ３３の移動によって記録媒体１０Ａ、１０Ｂを切断しないように突出しておらず、画像の記録終了後に記録媒体１０Ａ、１０Ｂを所定位置で切断する際、ソレノイドの駆動によって記録媒体１０Ａ、１０Ｂ側に向けて突出し、キャリッジ３３の移動によって記録媒体１０Ａ、１０Ｂを切断する。
【０１３６】
カッタ４００は片刃状でもよいし、キャリッジ３３の主走査方向に沿う往復移動の両方向で記録媒体１０Ａ、１０Ｂの切断が可能となるように両刃状であってもよい。
【０１３７】
このようにカッタ４００を記録手段３のキャリッジ３３上に配設し、該キャリッジ３３と共に移動するように設けたことにより、キャリッジ３３の移動手段を利用して切断が可能であるため、切断のための駆動機構を格別に必要とせず、装置の簡素化を図ることができる。しかも、カッタ４００はソレノイドの駆動によって切断時のみ突出して切断可能であるため、複数列の記録媒体の任意の列の記録媒体の切断を選択的に行うことも容易である。
【０１３８】
なお、第一及び第二の実施の形態ともに、記録媒体１０Ａ、１０Ｂがペーパーロール１Ａ、１Ｂからそれぞれ供給されるものを示したが、記録媒体はシート状の記録媒体であってもよい。記録媒体がシート状であると、特に規格サイズの画像を記録する場合、切断の手間が省けるため有利である。
【０１３９】
【発明の効果】
本発明によれば、複数の画像を記録形成する場合の記録時間を大幅に短縮可能なインクジェット記録装置を提供することができる。
【図面の簡単な説明】
【図１】インクジェット記録装置の正面構成図
【図２】インクジェット記録装置の側面構成図
【図３】搬送手段の概略を示す側面構成図
【図４】記録手段の概略を示す側面構成図
【図５】（ａ）は記録媒体切断手段の概略構成を示す斜視図、（ｂ）はその側面構成図
【図６】インクジェット記録装置の電気的構成を示すブロック図
【図７】（ａ）は記録媒体が１列の場合、（ｂ）は記録媒体が２列の場合の記録ヘッドの加減速時間と定速時間の関係をそれぞれ示す説明図
【図８】（ａ）は浮かせ機構の他の態様の概略を示す斜視図、（ｂ）はその側面構成図
【図９】（ａ）は浮かせ機構の更に他の態様の概略を示す斜視図、（ｂ）はその側面構成図
【図１０】（ａ）は記録媒体切断手段の他の態様の概略を示す斜視図、（ｂ）はその側面構成図
【図１１】インクジェット記録装置の他の実施の形態を示す正面構成図
【図１２】（ａ）は記録媒体切断手段を備えた記録手段の正面構成図、（ｂ）はその側面構成図
【図１３】搬送力の測定方法を示す説明図
１：記録媒体供給手段
２：搬送手段
３：記録手段
４：記録媒体切断手段
１０Ａ、１０Ｂ：記録媒体
【図１】
0004552278.tif 000002
【図２】
0004552278.tif 000003
【図３】
0004552278.tif 000004
【図４】
0004552278.tif 000005
【図５】
0004552278.tif 000006
【図６】
0004552278.tif 000007
【図７】
0004552278.tif 000008
【図８】
0004552278.tif 000009
【図９】
0004552278.tif 000010
【図１０】
0004552278.tif 000011
【図１１】
0004552278.tif 000012
【図１２】
0004552278.tif 000013
【図１３】
0004552278.tif 000014